(57)【要約】      （修正有）【課題】正しいスィングが形成でき、自分では判りにくいクラブの動きが、マットやティー等の障害物に触れることにより正確にわかり、またどの部分に触れたかにより、スィングの悪い点が見つけられるゴルフ練習用ショットマットを開発・提供する。【解決手段】適宜な厚みを有する矩形状のマット本体１を設け、該マット本体１の一端部に、適宜な幅と長さを有する切り欠き部を形成し、該切り欠き部内に置いたゴルフボールＧＢを打つ際に、該切り欠き部の縁部が障害壁Ａ，Ｂ，Ｃとなることを特徴とするゴルフ練習用ショットマットであり、さらに、マット本体１の任意の箇所に、それぞれ通穴３を複数個穿設し、これらの通穴のうち、必要な通穴に、軟質材からなる障害物を立設するか、通穴を設けず、ピンを立設して使用することを特徴とするゴルフ練習用ショットマットである。【選択図】図３
0003150554.tif 000002
【実用新案登録請求の範囲】
【請求項１】
適宜な厚み（α）を有する矩形状のマット本体（１）を設け、該マット本体（１）の一端部に、適宜な幅（Ｘ）と長さ（Ｙ）を有する切り欠き部（Ｚ）を形成し、該切り欠き部（Ｚ）内に置いたゴルフボール（ＧＢ）を打つ際に、該切り欠き部（Ｚ）の縁部が障害壁（Ａ，Ｂ，Ｃ）となることを特徴とするゴルフ練習用ショットマット。
【請求項２】
適宜な厚み（α）を有する矩形状のマット本体（１）を設け、該マット本体（１）の一端部に、適宜な幅（Ｘ）と長さ（Ｙ）を有する切り欠き部（Ｚ）を形成し、該切り欠き部（Ｚ）内に置いたゴルフボール（ＧＢ）を打つ際に、該切り欠き部（Ｚ）の縁部で障害壁（Ａ，Ｂ，Ｃ）を形成すると共に、前記マット（１）の任意の箇所に、それぞれ通穴（３）を複数個穿設し、これらの通穴（３）のうち、必要な通穴（３）に、軟質材からなる障害物（４）を立設して使用することを特徴とするゴルフ練習用ショットマット。
【請求項３】
適宜な厚み（α）を有する矩形状のマット本体（１）を設け、該マット本体（１）の一端部に、適宜な幅（Ｘ）と長さ（Ｙ）を有する切り欠き部（Ｚ）を形成し、該切り欠き部（Ｚ）内に置いたゴルフボール（ＧＢ）を打つ際に、該切り欠き部（Ｚ）の縁部に障害壁（Ａ，Ｂ，Ｃ）を形成すると共に、前記マット（１）の任意の箇所に、可撓性を有するピン（４ｂ）を立設して使用することを特徴とするゴルフ練習用ショットマット。
【考案の詳細な説明】
【技術分野】
【０００１】
この考案は、ゴルフ練習用ショットマットに関するものであり、特に、実際に打球したり、素振りをより正確に行うための矯正に使用するものである。
【背景技術】
【０００２】
従来、ゴルフ練習用マット（以下、単に、マットという）は、種々存在しており、このマット上で素振りの練習をしたり、また実際のゴルフボール（以下、ボールという）をショットする際に使用するものである。
【０００３】
ゴルフの練習では、練習場等で単にボールを打っていても、クラブヘッドのスピードが余りにも速く、目で自分のスィングの軌道、及びフェイスの真芯にボールが当たっているか、又は適正な打ち込み角度を有していたがどうか等、確認することは困難であった。
【０００４】
ゴルフのショットに求められる目的は、ボールを真っ直ぐ遠くへ、それぞれのクラブなりの弾道で飛ばすことである。
【０００５】
そのためには、以下の「インパクトの原理」を満足しなければならない。
１）  ヘッドの軌道（クラブヘッドは、ボールを載置した位置と目標とを結んだ仮の線（目標ライン）より内側、即ち、ヘッドはインサイドから入ってストレートを通過し、インサイドに入って行く、この過程でストレートに動くゾーンでボールに当てる。
２）  打点の正確性（フェイスの真芯に当てる）
３）  打ち込み角度（アイアンはダウンブローで捉える）
４）フェースの向き（目標に対して、フェイスはスクエアであること）
但し、上記４）のフェースの向きについては、該マットの機能では確認し難い。
しかし、本願の考案者であるティーチング・プロの長年の経験上、上記１）〜３）が満足できれば、フェイスの向きが大きく狂うことはない。更に打ったボールの飛行状態からフェイスの向きは判断できる。
【０００６】
このような確証を得、上記１）〜３）に着目して、該マットの形状の工夫と該マットに障害物を立設することを考案した。
【０００７】
しかし、マット上に障害物を設置したものは存在するが、アイアンの打ち込み角度を習得できるものではなく、この練習が出来るものではなかった。例えば、特許文献１のように。  
【０００８】
さらに、シート材の一部が切り欠いた練習用部材は存在した。しかし、この内容は、パッティングストロークやゲートボールを目視しながら矯正し、練習するものであるが、塩化ピニール等の薄板状のものにすぎなかった。例えば、特許文献１のように。  
【先行技術文献】
【特許文献】
【０００９】
【特許文献１】特開２００７−１１１４４７号公報
【特許文献２】特開２００３−１９９８５８号公報
【考案の概要】
【考案が解決しようとする課題】
【００１０】
そこで、この考案の課題は、正しいスィングが形成でき、自分では判りにくい、クラブの動きが、マットやティーに触れることにより正確にわかり、また、どの部分に触れたかにより、スィングの悪い点を見つけることができる練習用ショットマットを開発・提供することにある。
【課題を解決するための手段】
【００１１】
上記の課題を解決するため、この考案のマットは、マット本体の一端部に切り欠き部を形成し、該切り欠き部内にボールを置き、打球することにより、該切り欠き部で形成した左・右両側及び後部の障害壁に触れないようにスィングし、インパクトゾーンにおけるクラブの正しい動きを誘導できるものであり、また、該切り欠き部でクラブの種類に合わせてボールの置く位置を変えることができ、さらに、マットに、例えば，ティー等の障害物を立設し、この障害物にも触れないよう練習することで正しいスィングを形成できる練習用ショットマットを開発・提供することにある。
【考案の効果】
【００１２】
１）  この考案によると、マット本体（１）形成した切り欠き部（Ｚ）の、両側、並びに後部に障害壁を形成することとなり、該切り欠き部（Ｚ）内に置いたボールを、これら障害壁に触れることなく打球することにより、クラブヘッドが切り欠き部（Ｚ）を通過することにより、クラブの正しい動きが会得できる。
２）  また、マット本体（１）に形成した切り欠き部（Ｚ）の、両側、並びに後部に障害壁と、ヘッド軌道に近くのマット本体（１）上に、障害物（４）を立設することにより、これらにクラブヘッドが触れなければ、クラブヘッドが正しい軌道で切り欠き部（Ｚ）を通過することができる等の効果も有する。
３）  さらに、ドライバーの練習においては、マット本体（１）を逆向きにセットし、切り取ったパット（２）を切り欠き部（Ｚ）にはめ込み、マット全体を平らにし、該マットの中央部設けたティー〔障害物（４）がティーを兼ねる場合もある。〕を立設し、該ティーにボールを載置することにより練習できる等極めて有益なる効果を奏する。
【図面の簡単な説明】
【００１３】
【図１】本考案の練習用ショットマットの一実施例を示す平面図である。
【図２】本考案の練習用ショットマットの一実施例を示す側面図である。
【図３】本考案の使用状態の一実施例を示し、（ａ）は、アイアンの練習に使用する場合の練習用ショットマットの平面図であり、（ｂ）はドライバーの練習に使用する場合の練習用ショットマットの平面図である。
【図４】本考案の使用状態の他の実施例を示し、（ａ）は、練習用ショットマットの平面図であり、（ｂ）は練習用ショットマットの断面図である。
【図５】本考案の使用状態の更に他の実施例を示し、（ａ）は、練習用ショットマットの平面図であり、（ｂ）は練習用ショットマットの断面図である。
【図６】本考案の練習用ショットマットの使用例を示す説明図である。
【考案を実施するための形態】
【００１４】
以下、本考案について詳細に説明する。なお、本考案においては、以下の記述に限定されるものではなく、本考案の要旨を逸脱しない範囲においては適宜変更可能である。
【実施例】
【００１５】
この考案の一実施例を図面に従って詳述すると、適宜な厚み（α）を有する矩形状のマット本体（１）を設け、該マット本体（１）の一端部に、適宜な幅（Ｘ）と長さ（Ｙ）を有する切り欠き部（Ｚ）を形成し、該切り欠き部（Ｚ）内に置いたボール（ＧＢ）を打つ際に、該切り欠き部（Ｚ）の縁部が障害壁（Ａ，Ｂ，Ｃ）となることを特徴とするゴルフ練習用ショットマットから構成される。
【００１６】
次に、この考案の他の実施例を図面に従って詳述すると、適宜な厚み（α）を有する矩形状のマット本体（１）を設け、該マット本体（１）の一端部に、適宜な幅（Ｘ）と長さ（Ｙ）を有する切り欠き部（Ｚ）を形成し、該切り欠き部（Ｚ）内に置いたボール（ＧＢ）を打つ際に、該切り欠き部（Ｚ）の縁部で障害壁（Ａ，Ｂ，Ｃ）を形成すると共に、前記マット（１）の任意の箇所に、それぞれ通穴（３）を複数個穿設し、これらの通穴（３）のうち、必要な通穴（３）に、軟質材からなる障害物（４）を立設して使用することを特徴とするゴルフ練習用ショットマットから構成される。
【００１７】
さらに、この考案の他の実施例を図面に従って詳述すると、適宜な厚み（α）を有する矩形状のマット本体（１）を設け、該マット本体（１）の一端部に、適宜な幅（Ｘ）と長さ（Ｙ）を有する切り欠き部（Ｚ）を形成し、該切り欠き部（Ｚ）内に置いたボール（ＧＢ）を打つ際に、該切り欠き部（Ｚ）の縁部に障害壁（Ａ，Ｂ，Ｃ）を形成すると共に、前記マット（１）の任意の箇所に、可撓性を有するピン（４ｂ）を立設して使用することを特徴とするゴルフ練習用ショットマットから構成される。
【００１８】
尚、上記マット本体（１）は、地面に、あるいは、マットの上に、固定せずに、敷設して使用するものであり、クラブヘッドが、前記障害壁（Ａ，Ｂ，Ｃ）や障害物（４）に接触すれば、マット本体（１）は、当初敷設した位置より移動したり、接触音や目視により、接触したことが確実に判明するものである。
【００１９】
尚、前記切り欠き部（Ｚ）の幅（Ｘ）は、ショット時にアイアンのヘッド部分が左右の障害壁（Ａ，Ｂ）に触れない程度の幅が望ましい。ヘッドがボールより外側（アウトサイド）を通れば、障害壁（Ｂ）に触り、内側（インサイド）を通れば障害壁（Ａ）に触るようにするためである。
そして、切り欠き部（Ｚ）に、ボール（ＧＢ）を置く場合は、該切り欠き部（Ｚ）の前後方向の中心線（β）より、ロングアイアンやフェアウッドは前方に置いて打球し、ショートアイアンは後部に置いて打球する。
この理由として、図６に示すように長いクラブは、スィングの円弧が大きく、打ち込み角度は小さくなる。又、短いクラブはスィングの円弧が小さくなるので、打ち込み角度は大きくなるからである。この自然原理によりボールの位置をクラブ別に変える必要がある。更に打ち込み角度を大きくする練習は、ボールを障害壁（Ｃ）に近づけるとよい。
【００２０】
また、前記障害物（４）の一例を説明すると、ゴム製で適宜の高さを有する筒体（４ａ）と該筒体（４ａ）の下端部に基台（４ａ′）と一体に形成されているものであり、該筒体（４ａ）の上端にボールを乗せてティーアップできるものであり、市販の製品である。  この場合は、マット本体（１）の適宜な位置に、予め、複数の穴（３）を設けておくものであり、該穴（３）は、前記筒体（４ａ）が挿通可能な径を有するものである。
【００２１】
さらに、本考案の障害物（４）の形状は、これに限定されることはなく、可撓性を有する長さの異なった複数のピン（４ｂ）であってもよく、この場合、個々のスイングの軌道修正を、よりピンポイントで矯正できるものであり、この場合は、マット本体（１）には穴は不要である。
【００２２】
また、前記障害物（４）は、マット本体（１）の各所に設けられた通穴（３）のうち、必要な箇所に障害物（４）として立設することにより、クラブがこれらに触れないことによりクラブの正しいショットの軌道に誘導し、矯正するものである。
【００２３】
マット本体（１）の厚み（α）は、厚い程、障害壁が高くなり、正確なショット練習になる。この場合、厚み（α）を厚くするには、該マット本体（１）を、複数枚重ねても設置してもよいものである。
【００２４】
尚、マット本体（１）を、ドライバーでの打球に使用する際には、図３（ｂ）に示すように、マット本体（１）の切り欠き部（２）が後方に位置するようにマット本体（１）を敷設し、該切り欠き部（Ｚ）に切り取ったマット（２）を挿入敷設して、使用するものである。
【産業上の利用可能性】
【００２５】
この考案のよると、ゴルフ練習用ショットマットの製造技術を確立し、それに基づいて該マットの製造・販売をすることにより、産業上の利用可能性があるものである。
【符号の説明】
【００２６】
１  マット本体
２  切り取ったマット
３  通穴
４  障害物
４ａ  筒体
４ａ′基台
４ｂ  ピン
α  厚み
Ａ，Ｂ，Ｃ  障害壁
ＧＢ  ボール
Ｘ  幅
Ｙ  長さ
Ｚ  切り欠き部
【図１】
0003150554.tif 000003
【図２】
0003150554.tif 000004
【図３】
0003150554.tif 000005
【図４】
0003150554.tif 000006
【図５】
0003150554.tif 000007
【図６】
0003150554.tif 000008